(57)【要約】【課題】  外部からの衝撃を緩和して耐衝撃性を高めることができるスイッチ装置を提供する。【解決手段】  腕時計ケース１の貫通孔１２に取り付けられた筒状部材７と、この筒状部材７に挿入される操作軸部１７および外端部の操作頭部１８を有する操作部材８と、操作頭部１８にこれを覆って装着された緩衝部材１０と、この緩衝部材１０を覆って操作頭部１８に対して固定され、かつ緩衝部材１０の複数個所が外部に突出する外装部材１１と、を備えている。従って、外装部材１１が外部から衝撃を受ける際に、この外装部材１１から外部に突出した緩衝部材１０によって衝撃を緩和することができる。このため、外部からの衝撃による操作部材８や円筒部材７の破損を防ぐことができるので、耐衝撃性を高めることができる。【選択図】        図２
2014059276.tif 000002
【特許請求の範囲】
【請求項１】
貫通孔を有するケースと、
このケースの前記貫通孔に取り付けられた筒状部材と、
この筒状部材に挿入される軸部および外端部の操作部を有する操作部材と、
この操作部材の前記操作部にこれを覆って装着された緩衝部材と、
この緩衝部材を覆って前記操作部に対して固定され、かつ前記緩衝部材の複数個所が外部に突出する外装部材と、
を備えていることを特徴とするスイッチ装置。
【請求項２】
請求項１に記載のスイッチ装置において、前記外装部材には、その外周面から外端面に亘って複数のスリット溝が円周方向に沿って所定間隔で設けられており、前記緩衝部材には、前記外装部材の前記複数のスリット溝内にそれぞれ挿入されて外部に突出する複数の外周弾性突起部が設けられていることを特徴とするスイッチ装置。
【請求項３】
請求項１または請求項２に記載のスイッチ装置において、前記外装部材の外端面には挿入孔が設けられており、前記緩衝部材には前記外装部材の前記挿入孔から外部に突出する先端弾性突起部が設けられていることを特徴とするスイッチ装置。
【請求項４】
請求項１〜請求項３のいずれかに記載のスイッチ装置において、前記操作部材を前記ケースに向けて押し込んだ状態でロックするロック部を備えていることを特徴とするスイッチ装置。
【請求項５】
請求項１〜請求項４のいずれかに記載のスイッチ装置において、前記緩衝部材には、前記ケースの外面に弾接する弾性ストッパ部が設けられていることを特徴とするスイッチ装置。
【請求項６】
請求項５に記載のスイッチ装置において、前記緩衝部材と前記操作部との間には、前記操作部材の軸方向に隙間が設けられていることを特徴とするスイッチ装置。
【請求項７】
請求項１に記載のスイッチ装置において、前記緩衝部材の外端面に形成された挿入孔、および前記外装部材の外端面に形成された挿入孔を通して、前記操作部の外端部に螺合することにより、前記外装部材を前記筒状緩衝部に押し付けて前記操作部に対して固定する取付片を備えていることを特徴とするスイッチ装置。
【請求項８】
請求項１に記載のスイッチ装置において、前記操作部材の前記操作部は、前記緩衝部材の外端面に設けられた挿入孔を通して前記外装部材に螺合する取付部を備えていることを特徴とするスイッチ装置。
【発明の詳細な説明】
【技術分野】
【０００１】
この発明は、腕時計などの時計に用いられるスイッチ装置に関する。
【背景技術】
【０００２】
例えば、腕時計においては、特許文献１に記載されているように、腕時計ケースに竜頭などの操作部材が引き出し可能に設けられたスイッチ装置を備えたものが知られている。この種のスイッチ装置は、腕時計ケースから外部に突出した操作部材を引き出し、この状態で操作部材を回転させることにより、時刻を修正するように構成されている。
【先行技術文献】
【特許文献】
【０００３】
【特許文献１】特開２００６−１９４８３４号公報
【０００４】
このようなスイッチ装置は、腕時計ケースの貫通孔に巻真パイプが取り付けられ、この巻真パイプ内に操作部材の軸部が挿入され、この操作部材の軸部に巻真の外端部が取り付けられ、この軸部の外端部に腕時計ケースの外部に突出する操作頭部が設けられた構成になっている。
【０００５】
また、このようなスイッチ装置は、時刻を修正しないときに、操作部材を押し込んだ状態でロックするロック部を備えている。このロック部は、操作頭部に取り付けられた複数の係合凸部を有するリング部材と、腕時計ケースの外部に突出した巻真パイプの外周部に設けられてリング部材の係合凸部を係脱可能にロックする複数の係止溝部とを備えている。
【０００６】
このようなスイッチ装置では、操作部材を回転させると、リング部材の係合凸部が回転して、複数の係止溝部に対する係合凸部のロックが解除され、この状態で操作部材を引き出して回転操作することにより、時刻を修正することができる。また、操作部材を押し込んで回転させると、リング部材の係合凸部が回転して複数の係止溝部に係止されることにより、操作部材が押し込まれた状態でロックされる。
【発明の概要】
【発明が解決しようとする課題】
【０００７】
しかしながら、このようなスイッチ装置においては、操作部材を押し込んでロックした状態、またはロックが解除されて操作部材が引き出された状態のいずれにおいても、操作部材の操作頭部が外部から衝撃を受けると、その衝撃が直接、操作部材や巻真パイプに加わるため、操作部材や巻真パイプが破損したり、腕時計ケースに対する巻真パイプの気密性が低下したりするという問題がある。
【０００８】
この発明が解決しようとする課題は、外部からの衝撃を緩和して耐衝撃性を高めることができるスイッチ装置を提供することである。
【課題を解決するための手段】
【０００９】
この発明は、貫通孔を有するケースと、このケースの前記貫通孔に取り付けられた筒状部材と、この筒状部材に挿入される軸部および外端部の操作部を有する操作部材と、この操作部材の前記操作部にこれを覆って装着された緩衝部材と、この緩衝部材を覆って前記操作部に対して固定され、かつ前記緩衝部材の複数個所が外部に突出する外装部材と、を備えていることを特徴とするスイッチ装置である。
【発明の効果】
【００１０】
この発明によれば、外装部材が外部から衝撃を受ける際に、この外装部材から外部に突出した緩衝部材によって衝撃を緩和することができる。このため、外部からの衝撃が直接、操作部材や円筒部材に加わらないので、外部からの衝撃によって操作部材や円筒部材が破損するのを防ぐことができ、これにより耐衝撃性を高めることができる。
【図面の簡単な説明】
【００１１】
【図１】この発明を腕時計のスイッチ装置に適用した第１実施形態において、腕時計を示した拡大正面図である。
【図２】図１に示された腕時計のＡ−Ａ矢視における要部の拡大断面図である。
【図３】図２に示されたスイッチ装置の要部を示した拡大斜視図である。
【図４】図３に示されたスイッチ装置の要部を分解して示した拡大斜視図である。
【図５】図３に示されたスイッチ装置の要部における断面を示し、（ａ）は図３のＢ−Ｂ矢視における要部の拡大断面図、（ｂ）は図３のＣ−Ｃ矢視における要部の拡大断面図である。
【図６】この発明を腕時計のスイッチ装置に適用した第２実施形態において、スイッチ装置を示した拡大断面図である。
【図７】図６に示されたスイッチ装置の要部を示した拡大斜視図である。
【図８】図７に示されたスイッチ装置の要部を分解して示した拡大斜視図である。
【図９】図７に示されたスイッチ装置の要部における断面を示し、（ａ）は図７のＤ−Ｄ矢視における要部の拡大断面図、（ｂ）は図７のＥ−Ｅ矢視における要部の拡大断面図である。
【図１０】この発明を腕時計のスイッチ装置に適用した第３実施形態において、スイッチ装置の要部を示した拡大斜視図である。
【図１１】図１０に示されたスイッチ装置の要部を分解して示した拡大斜視図である。
【図１２】図１０に示されたスイッチ装置の要部における断面を示し、（ａ）は図１０のＦ−Ｆ矢視における要部の拡大断面図、（ｂ）は図１０のＧ−Ｇ矢視における要部の拡大断面図である。
【図１３】この発明を腕時計のスイッチ装置に適用した第４実施形態において、スイッチ装置の要部を示した拡大斜視図である。
【図１４】図１３に示されたスイッチ装置の要部を分解して示した拡大斜視図である。
【図１５】図１３に示されたスイッチ装置の要部における断面を示し、（ａ）は図１３のＨ−Ｈ矢視における要部の拡大断面図、（ｂ）は図１３のＩ−Ｉ矢視における要部の拡大断面図である。
【発明を実施するための形態】
【００１２】
（第１実施形態）
以下、図１〜図５を参照して、この発明を腕時計のスイッチ装置に適用した第１実施形態について説明する。
この腕時計は、図１および図２に示すように、腕時計ケース１を備えている。この腕時計ケース１の上側開口部には、時計ガラス２がパッキン２ａを介して取り付けられており、この腕時計ケース１の下部には、裏蓋３が防水パッキン３ａを介して取り付けられている。
【００１３】
また、この腕時計ケース１の内部には、図２に示すように、時計モジュール４が設けられている。さらに、この腕時計ケース１の３時側に位置する側部には、図１および図２に示すように、スイッチ装置５が設けられている。このスイッチ装置５は、時計モジュール４のモード切替や時刻修正などを行うためのものであり、巻真６、筒状部材７、操作部材８、ロック部９、緩衝部材１０、および外装部材１１を備えている。
【００１４】
この場合、腕時計ケース１の３時側に位置する側部には、図２に示すように、腕時計ケース１の内部と外部とに貫通する貫通孔１２が設けられている。この貫通孔１２は、腕時計ケース１の内部側に位置する小径孔部１２ａと、腕時計ケース１の外部側に位置する大径孔部１２ｂとを有している。この貫通孔１２内には、スイッチ装置５の筒状部材７が嵌め込まれている。
【００１５】
この筒状部材７は、図２に示すように、貫通孔１２の小径孔部１２ａ内に嵌着して腕時計ケース１の内部に突出する小径筒部７ａと、貫通孔１２の大径孔部１２ｂ内に嵌着して腕時計ケース１の外部に突出する大径筒部７ｂとを備えている。この筒状部材７の小径筒部７ａは、大径筒部７ｂとの段差部に設けられたロー材１３の溶着によって腕時計ケース１の貫通孔１２内に接合されている。
【００１６】
これにより、筒状部材７は、図２に示すように、ロー材１３の溶着によって腕時計ケース１の外部に抜け出すことがなく、腕時計ケース１の貫通孔１１内に取り付けられている。また、この筒状部材７は、ロー材１３の溶着によって腕時計ケース１の貫通孔１２と小径筒部７ａとの間の防水性が図られている。
【００１７】
また、この筒状部材７の大径筒部７ｂにおける外周面、つまり腕時計ケース１の貫通孔１２から外部に突出した箇所の大径筒部７ｂの外周面には、図２に示すように、ロック部９の雄ねじ部１４が設けられている。また、この筒状部材７の内周面には、図２に示すように、複数のパッキン溝１５が設けられており、この複数のパッキン溝１５には、防水パッキン１６がそれぞれ取り付けられている。
【００１８】
一方、操作部材８は、図２〜図５に示すように、筒状部材７の内径よりも少し小さい小径の円筒状に形成された操作軸部１７と、この操作軸部１７の外端部に設けられて大径の円筒状に形成された操作頭部１８とを備えている。この操作頭部１８は、その内部が筒状部材７に設けられたロック部９の雄ねじ部１４の外径とほぼ同じ大きさの中空状に形成されている。
【００１９】
この操作頭部１８は、図２に示すように、その内部の軸方向の長さ（深さ）が、筒状部材７の大径筒部７ｂにおける腕時計ケース１から外部に突出した部分の長さよりも少し長く形成されている。また、この操作頭部１８における腕時計ケース１側に位置する内周面には、筒状部材７に設けられたロック部９の雄ねじ部１４が螺合する雌ねじ部１９が設けられている。この雌ねじ部１９は、操作部材８が腕時計ケース１に向けて押し込まれた際に、雄ねじ部１４に螺合するように構成されている。
【００２０】
これにより、ロック部９は、図２および図５に示すように、筒状部材７の外周面に設けられた雄ねじ部１４と、操作頭部１８の内周面に設けられた雌ねじ部１９とからなり、操作部材８が腕時計ケース１内に向けて押し込まれて雌ねじ部１９が雄ねじ部１４に接近した際に、操作頭部１８の回転によって雌ねじ部１９が雄ねじ部１４に螺合し、操作部材８を押し込んだ状態でロックするように構成されている。
【００２１】
また、この操作頭部１８における腕時計ケース１側に位置する外周部には、図２および図５に示すように、環状の取付鍔部２０が径方向に突出して設けられている。また、この操作頭部１８における腕時計ケース１の外部側に位置する外端部には、頭壁部２１が設けられている。この頭壁部２１の外面には、操作頭部１８の外径よりも小さい円柱状の突起部２２が形成されている。
【００２２】
操作軸部１７は、図２〜図５に示すように、筒状部材７の内部に挿入する円筒状の部分であり、操作頭部１８の内面における中心部に腕時計ケース１側に向けて突出して設けられている。この操作軸部１７は、筒状部材７の長さよりも少し短い長さで形成されている。これにより、操作軸部１７は、操作部材８が押し込まれてロック部９でロックされた状態のときに、筒状部材７内から腕時計ケース１の内部に突出しないように構成されている。
【００２３】
この操作軸部１７の内部には、図２および図５に示すように、操作頭部１８から腕時計ケース１側に向けて突出する箇所に設けられた断面四角形状の角孔部１７ａと、この角孔部１７ａよりも操作頭部１８側に設けられて角孔部１７ａの内面に内接して連続する断面円形状の円形孔部１７ｂとが軸方向に沿って設けられている。
【００２４】
この操作軸部１７の内部には、図２および図５に示すように、巻真６の先端部が軸方向に沿って移動可能に取り付けられている。すなわち、巻真６は、操作軸部１７の角孔部１７ａ内に移動可能に挿入する角棒状の連動軸部６ａと、この連動軸部６ａの先端に設けられて操作軸部１７の円形孔部１７ｂ内に移動可能に挿入するガイド軸部６ｂとを備えている。
【００２５】
この場合、巻真６の連動軸部６ａにおける先端部、つまり連動軸部６ａとガイド軸部６ｂとの境界部には、図２および図５に示すように、ストッパ鍔部６ｃが径方向に突出して設けられている。このストッパ鍔部６ｃには、角板形状のガイドリング２３が設けられている。このガイドリング２３は、操作軸部１７の角孔部１７ａ内に移動可能に挿入され、この状態で操作軸部１７の回転を連動軸部６ａに伝達して連動軸部６ａを回転させるように構成されている。
【００２６】
また、巻真６のガイド軸部６ｂは、図２および図５に示すように、円形孔部１７ｂの内径よりも十分に細く形成されている。このガイド軸部６ｂの外周面と円形孔部１７ｂの内周面との間には、コイルばね２５が配置されている。このコイルばね２５は、一端部が巻真６のストッパ鍔部６ｃに弾接し、他端部が操作軸部１７の円形孔部１７ｂの奥部（図５（ａ）では右端部）に弾接し、この状態で操作軸部１７を筒状部材７内から押し出す方向に向けて付勢するように構成されている。
【００２７】
これにより、操作部材８は、図２および図５に示すように、コイルばね２５のばね力に抗して操作頭部１８を押し込むと、コイルばね２５が巻真６のストッパ鍔部６ｃによって圧縮されて、巻真６の連動軸部６ａが操作軸部１７の角孔部１７ａ内に相対的に押し込まれると共に、巻真６のガイド軸部６ｂが操作軸部１７の円形孔部１７ｂ内に相対的に押し込まれ、操作頭部１８が腕時計ケース１に接近するように構成されている。
【００２８】
また、この操作部材８は、図２および図５に示すように、巻真６のガイド軸部６ｂが操作軸部１７の円形孔部１７ｂ内に相対的に押し込まれて、操作頭部１８が腕時計ケース１に接近してロック部９によってロックされた状態で、操作軸部１７に対するロック部９のロックが解除されると、コイルばね２５のばね力によって操作軸部１７が巻真６に対して押し出されて、操作頭部１８が腕時計ケース１から外部に離れて突出するように構成されている。
【００２９】
さらに、この操作部材８は、図２および図５に示すように、操作頭部１８が押し込まれた状態においても、また操作頭部１８が押し出された状態においても、操作頭部１８を回転させると、この操作頭部１８と共に操作軸部１７が回転し、この回転が操作軸部１７の角孔部１７ａに挿入された巻真６の連動軸部６ａにガイドリング２３によって伝達され、この連動軸部６ａの回転によって巻真６が回転するように構成されている。
【００３０】
一方、操作部材８の操作頭部１８には、図３〜図５に示すように、緩衝部材１０および外装部材１１が取り付けられている。緩衝部材１０は、ウレタンゴムやシリコーンゴム、またはエラストマなどの弾性を有する合成樹脂からなり、操作頭部１８の外周面に密着する緩衝本体２６を備えている。この緩衝本体２６は、操作頭部１８の外周面に装着する円筒形状に形成されている。
【００３１】
すなわち、この緩衝本体２６は、図４および図５に示すように、その外形が操作頭部１８の取付鍔部２０に設けられた複数の取付溝２０ａを塞がない大きさの外径、つまり複数の取付溝２０ａの底部が位置する個所の円形と同じ大きさの外径に形成されている。また、緩衝本体２６の外端部には、図３および図４に示すように、先端弾性突起部２７が突出して形成されている。この先端弾性突起部２７の外端面には、凹凸部２７ａが形成されている。
【００３２】
また、この緩衝本体２６の外周面には、図３〜図５に示すように、複数の外周弾性突起部２８が円周方向に沿って等間隔で形成されている。この外周弾性突起部２８は、その厚みが外装部材１１の厚みよりも厚く形成されている。また、この外周弾性突起部２８は、緩衝本体２６の外周面に軸方向に沿って形成されている。
【００３３】
すなわち、外周弾性突起部２８は、図３〜図５に示すように、その一端部（図４では左端部）が操作頭部１８の取付鍔部２０に位置し、他端部（図４では右端部）が緩衝本体２６の外端部から突出し、この突出した先端面が先端弾性突起部２７の外端面（図４では右端面）とほぼ同じ位置になるように形成されている。
【００３４】
外装部材１１は、図３〜図５に示すように、金属からなり、緩衝部材１０の外周に装着するにように構成されている。すなわち、この外装部材１１は、円筒部３０の外周部に複数のスリット溝３１が軸方向に沿って形成された構成になっている。この場合、円筒部３０は、その一端部（図４では左端部）が操作頭部１８の取付鍔部２０に位置し、他端部（図４では右端部）が緩衝本体２６の外端部に位置するように形成されている。
【００３５】
また、この円筒部３０の一端部には、図４および図５に示すように、操作頭部１８の取付鍔部２０に設けられた複数の取付溝２０ａにそれぞれカシメ加工によって嵌着固定される複数の嵌着突起部３０ａが設けられている。また、この円筒部３０の他端部には、緩衝部材１０の先端弾性突起部２７が挿入して外部に突出する挿入孔３２が設けられている。
【００３６】
複数のスリット溝３１は、図３〜図５に示すように、円筒部３０の一端部から他端部に亘って、外周弾性突起部２８の幅（円周方向の長さ）とほぼ同じ幅で形成されている。また、この複数のスリット溝３１は、円筒部３０の外周面にその円周方向に等間隔で形成されている。これにより、複数のスリット溝３１は、緩衝部材１０の外周面に外装部材１１の円筒部３０が装着された際に、緩衝部材１０の外周面に形成された複数の外周弾性突起部２８がそれぞれ挿入して円筒部３０の外周面から突出するように構成されている。
【００３７】
ところで、操作部材８に連結された巻真６は、図２に示すように、腕時計ケース１内に設けられた時計モジュール４内に延出されて配置されている。この巻真６は、操作部材８の操作頭部１８が押し込まれてコイルばね２５が圧縮し、筒状部材７の雄ねじ部１４に操作部材８の雌ねじ部１９が螺合して、操作部材８がロックされた状態のときに、時計モジュール４のスイッチが動作しない状態を維持するように構成されている。
【００３８】
また、この巻真６は、図２に示すように、操作部材８の操作頭部１８を回転させて筒状部材７の雄ねじ部１４に対する操作部材８の雌ねじ部１９の螺合が解除され、操作部材８の操作頭部１８がコイルばね２５のばね力によって押し出された状態のときにも、時計モジュール４のスイッチが動作しない状態を維持するように構成されている。
【００３９】
さらに、この巻真６は、図２に示す状態で、操作部材８に対するロック部９のロックが解除されて操作部材８が押し出され、この状態で操作部材８の操作頭部１８が更に引き出されると、操作頭部１８の引き出し操作に伴って引き出される方向に移動し、これにより通常の時計モードを時刻修正モードに切り替え、この状態で操作頭部１８を回転させると、その回転に伴って回転し、この回転に応じて時刻修正を行うように構成されている。
【００４０】
次に、このような腕時計のスイッチ装置５の作用について説明する。
このスイッチ装置５を使用する場合には、図２に示す状態で、操作部材８の操作頭部１８に設けられた外装部材１１を摘まんで回転させる。すると、操作頭部１８が緩衝部材１０を介して回転し、この回転に伴って操作部材８の雌ねじ部１９が回転し、操作部材８に対するロック部９のロックが解除される。
【００４１】
すなわち、外装部材１１を摘まんで回転させると、外装部材１１の嵌着突起部３０ａが操作頭部１８の取付鍔部２０の取付溝２０ａに嵌着していることにより、外装部材１１の回転が操作頭部１８に伝達されて操作頭部１８が回転すると共に、操作部材８の操作軸部１７も同時に回転する。
【００４２】
このように操作頭部１８が回転すると、この操作頭部１８の雌ねじ部１９が回転するので、筒状部材７の雄ねじ部１４に対する雌ねじ部１９の螺合が解除されて、雌ねじ部１９が雄ねじ部１４から離脱する。これにより、操作部材８に対するロック部９によるロックが解除される。
【００４３】
このように、操作部材８に対するロック部９のロックが解除されると、操作部材８の操作軸部１７内に設けられたコイルばね２５のばね力によって操作部材８の操作軸部２４が腕時計ケース１の外側に向けて押し出される。このときには、巻真６は軸方向に移動しない。このため、巻真６の連動軸部６ａは、操作軸部１７の移動に伴って操作軸部１７内から相対的に抜け出す。また、巻真６のガイド軸部６ｂは、操作軸部１７の移動に伴って操作軸部１７の角孔部１７ａ内に向けて相対的に移動する。
【００４４】
このように操作軸部１７が筒状部材７内を腕時計ケース１の外側に向けて移動すると、操作頭部１８が腕時計ケース１から離れて外部に突出する。この状態で、操作頭部１８を回転させて巻真６を回転させても、時計モジュール４のスイッチは動作しない。そして、操作頭部１８を更に引き出すと、これに伴って巻真６が引き出される。
【００４５】
このときには、巻真６の引き出し動作によって、時計モジュール４のスイッチが動作し、時計モードが通常の時計モードから時刻修正モードに切り替わる。この状態で、操作頭部１８を回転させると、その回転に伴って巻真６が回転し、この回転に応じて時刻修正が行われる。
【００４６】
一方、このスイッチ装置５を使用しない場合には、図２に示すように、操作部材８の操作頭部１８をコイルばね２５のばね力に抗して押し込んで腕時計ケース１の外面に接近させる。すると、操作頭部１８の雌ねじ部１９が筒状部材７の雄ねじに１４に接近して螺合可能になる。この状態で、外装部材１１を回転させて操作頭部１８を回転させると、操作頭部１８の雌ねじ部１９が筒状部材７の雄ねじに１４に螺合する。これにより、操作部材８が押し込まれた状態でロック部９によってロックされる。
【００４７】
このように、この腕時計のスイッチ装置５によれば、貫通孔１２を有する腕時計ケース１と、この腕時計ケース１の貫通孔１２に取り付けられた筒状部材７と、この筒状部材７に挿入される操作軸部１７および外端部の操作頭部１８を有する操作部材８と、この操作部材８を腕時計ケース１に向けて押し込んだ状態でロックするロック部９と、操作部材８の操作頭部１８にこれを覆って装着された緩衝部材１０と、この緩衝部材１０を覆って操作頭部１８に対して固定され、かつ緩衝部材１０の複数個所が外部に突出する外装部材１１と、を備えているので、緩衝部材１０によって衝撃を緩和することができ、これにより耐衝撃性を高めることができる。
【００４８】
すなわち、このスイッチ装置５では、操作部材８を腕時計ケース１に向けて押し込んでロック部９によってロックした状態、またはロック部９によるロックが解除されて腕時計ケース１から操作部材が押し出された状態のいずれにおいても、外装部材１１が外部から衝撃を受ける際に、この外装部材１１から外部に突出した緩衝部材１０によって衝撃を緩和することができる。このため、外部からの衝撃が操作部材８や円筒部材７に直接加わることがないので、外部からの衝撃によって操作部材８や円筒部材７が破損するのを防ぐことができ、これにより耐衝撃性を高めることができる。
【００４９】
この場合、外装部材１１には、その外周面から外端面に亘って複数のスリット溝３１が円周方向に沿って所定間隔で設けられており、緩衝部材１０には、外装部材１１の複数のスリット溝３１からそれぞれ外部に突出する複数の外周弾性突起部２８が設けられていることにより、外装部材１１が外部から衝撃を受ける際に、この外装部材１１から外部に突出した緩衝部材１０の複数の外周弾性突起部２８によって衝撃を緩和することができ、これにより外部からの衝撃が直接、操作部材８や円筒部材７に加わらないため、外部からの衝撃による操作部材８や円筒部材７の破損を防ぐことができる。
【００５０】
また、この外装部材１１の外周面には、緩衝部材１０の複数の外周弾性突起部２８が突出していることにより、外装部材１１を指で摘まんで回転操作する際に、外装部材１１の外周面に突出した複数の外周弾性突起部２８によって指が滑らないようにすることができ、これにより操作部材８を正確にかつ良好に回転させることができるので、回転操作性の良いものを提供することができる。
【００５１】
また、この外装部材１１には、その外端面に挿入孔３２が設けられており、緩衝部材１０には、外装部材１１の挿入孔３２から外部に突出する先端弾性突起部２７が設けられていることにより、外装部材１１の外端面が衝撃を受ける際に、この外装部材１１の挿入孔３２から外部に突出した緩衝部材１０の先端弾性突起部２７によって衝撃を緩和することができ、これによっても外部からの衝撃が直接、操作部材８や円筒部材７に加わらないため、外部からの衝撃による操作部材８や円筒部材７の破損を防ぐことができる。
【００５２】
この場合、外装部材１１の挿入孔３２から外部に突出した緩衝部材１０の先端弾性突起部２７の外端面には、凹凸部２７ａが形成されているので、外装部材１１の外端面に指の腹を当てて回転操作する際に、凹凸部２７ａによって指の腹が滑らないようにすることができ、これによっても操作部材８を正確にかつ良好に回転させることができるので、より一層、回転操作性の良いものを提供することができる。
【００５３】
また、このスイッチ装置５では、操作部材８を腕時計ケース１に向けて押し込んだ状態でロックするロック部９を備えていることにより、操作部材８を操作しないときに、ロック部９によって操作部材８をロックすることができるので、操作部材８が勝手に腕時計ケース１の出没方向に動作しないようにすることができる。
【００５４】
すなわち、このロック部９は、筒状部材７に設けられた雄ねじ部１４と、操作頭部１８に設けられた雌ねじ部１９とを備えているので、操作頭部１８を腕時計ケース１に向けて押し込んで回転させるだけで、雌ねじ部１９を雄ねじ部１４に螺合させることにより、操作部材８を簡単にかつ確実にロックすることができる。
【００５５】
（第２実施形態）
次に、図６〜図９を参照して、この発明のスイッチ装置を腕時計に適用した第２実施形態について説明する。なお、図１〜図５に示された第１実施形態と同一部分には同一符号を付して説明する。
この腕時計のスイッチ装置５は、図６に示すように、緩衝部材１０に複数の弾性ストッパ部３５を設けた構成であり、これ以外は第１実施形態とほぼ同じ構成になっている。
【００５６】
すなわち、複数の弾性ストッパ部３５は、図８および図９に示すように、緩衝部材１０の緩衝本体２６の一端部（図８では左端部）から腕時計ケース１の外面に向けてそれぞれ突出して設けられている。この場合、操作部材８の操作頭部１８に設けられた取付鍔部２０には、複数の取付溝２０ｂが操作頭部１８の外周面と同じなるように、第１実施形態の取付溝２０ａよりも深く切り込まれて形成されている。
【００５７】
これにより、複数の弾性ストッパ部３５は、図６に示すように、取付鍔部２０の複数の取付溝２０ｂを通して腕時計ケース１の外面に向けて突出するように構成されている。また、複数の弾性ストッパ部３５は、操作部材８の操作頭部１８が腕時計ケース１に向けて押し込まれて筒状部材７の雄ねじ部１４に操作頭部１８の雌ねじ部１９が螺合してロックされた状態のときに、腕時計ケース１の外面に弾接するように構成されている。
【００５８】
この場合、緩衝部材１０は、図６および図９に示すように、複数の弾性ストッパ部３５の先端部が腕時計ケース１の外面に弾接した状態のときに、先端弾性突起部２７の内面と操作頭部１８の外端面との間に隙間Ｓが形成されるように構成されている。すなわち、この隙間Ｓは、操作頭部１８における外端面および操作頭部１８の円柱状の突起部２２の外端面に対して、先端弾性突起部２７の内面が離れるように、これらの間に設けられている。
【００５９】
なお、この第２実施形態では、図６に示すように、筒状部材７の小径筒部７ａが腕時計ケース１の貫通孔１２に嵌め込まれて腕時計ケース１内に突出し、この突出した小径筒部７ａにＥリングなどの抜止めリング３６が取り付けられ、この抜止めリング３６によって筒状部材７の小径筒部７ａが腕時計ケース１の貫通孔１２から外部に抜け出さないように構成されている。
【００６０】
また、この筒状部材７の小径筒部７ａの外周面には、図６に示すように、複数のパッキン溝１５が設けられており、この複数のパッキン溝１５には、防水パッキン１６がそれぞれ取り付けられている。これにより、腕時計ケース１の貫通孔１２と筒状部材７との間の防水性が図られている。また、この筒状部材７の大径筒部７ｂは、腕時計ケース１の外部に突出するように構成されている。
【００６１】
このような腕時計のスイッチ装置５によれば、第１実施形態と同様の作用効果があるほか、緩衝部材１０には、操作部材８がロック部９によってロックされた状態で、腕時計ケース１の外面に弾接する複数の弾性ストッパ部３５が設けられていることにより、外装部材１１が外部から衝撃を受けた際に、緩衝部材１０の複数の弾性ストッパ部３５で衝撃を吸収することができるので、第１実施形態よりも耐衝撃性を高めることができる。
【００６２】
すなわち、このスイッチ装置５では、操作部材８を腕時計ケース１に向けて押し込んでロック部９によってロックした状態で、外装部材１１が外部から衝撃を受ける際に、この外装部材１１から外部に突出した緩衝部材１０の先端弾性突起部２７および外周弾性突起部２８によって衝撃を緩和することができると共に、この緩衝部材１０の複数の弾性ストッパ部３５によって衝撃を更に吸収することができる。このため、外部からの衝撃を第１実施形態よりも確実にかつ良好に吸収することができるので、外部からの衝撃による操作部材８や円筒部材７の破損を第１実施形態よりも確実に防ぐことができ、これにより、より一層、耐衝撃性を高めることができる。
【００６３】
この場合、緩衝部材１０は、複数の弾性ストッパ部３５の先端部が腕時計ケース１の外面に弾接した状態のときに、先端弾性突起部２７の内面と操作頭部１８の外端面との間に隙間Ｓが形成されていることにより、外装部材１１が外部から衝撃を受けて、緩衝部材１０の複数の弾性ストッパ部３５が衝撃によって弾性変形した際に、先端弾性突起部２７の内面と操作頭部１８の外端面との間の隙間Ｓによって、複数の弾性ストッパ部３５の弾性変形に伴う衝撃を逃がすことができ、これによっても外部からの衝撃を更に緩和することができるので、より一層、耐衝撃性を高めることができる。
【００６４】
（第３実施形態）
次に、図１０〜図１２を参照して、この発明のスイッチ装置を腕時計に適用した第３実施形態について説明する。この場合にも、図１〜図５に示された第１実施形態と同一部分に同一符号を付して説明する。
この腕時計のスイッチ装置５は、図１１に示すように、緩衝部材１０および外装部材１１を操作頭部１８に対して取り付けるための取付片４０を備えた構成であり、これ以外は第１実施形態とほぼ同じ構成になっている。
【００６５】
この場合、緩衝部材１０の緩衝本体２６における外端面には、図１１および図１２に示すように、挿入孔４１が設けられている。取付片４０は、金属からなる円板状に形成され、操作頭部１８の外端面に設けられた突起部２２に螺着するように構成されている。すなわち、この取付片４０は、緩衝本体２６の挿入孔４１および外装部材１１の挿入孔３２に挿入する小円形部４０ａと、外装部材１１の挿入孔３２の縁部に当接する大円形部４０ｂとを有している。
【００６６】
この場合、小円形部４０ａ内には、図１１および図１２に示すように、操作頭部１８の突起部２２に設けられた雄ねじ部４２に螺合する雌ねじ部４３が設けられている。また、大円形部４０ｂの外端面には、第１実施形態と同様、凹凸部２７ａが設けられている。これにより、取付片４０は、操作頭部１８に緩衝本体２６を装着させ、この緩衝本体２６に外装部材１１を装着させ、この状態で操作頭部１８に緩衝本体２６および外装部材１１を取り付けるように構成されている。
【００６７】
すなわち、この取付片４０は、図１１および図１２に示すように、操作頭部１８に緩衝本体２６を装着させ、この緩衝本体２６に外装部材１１を装着させ、この状態で取付片４０の小円形部４０ａを外装部材１１の挿入孔３２から緩衝本体２６の挿入孔４１に挿入させて、小円形部４０ａの雌ねじ部４３を操作頭部１８の突起部２２の雄ねじ部４２に螺合させると、大円形部４０ｂの外周部が外装部材１１の挿入孔３２の縁部を押え付けるように構成されている。
【００６８】
このような腕時計のスイッチ装置５においても、第１実施形態と同様の作用効果があるほか、外端面に挿入孔４１を有して操作頭部１８の外周面に装着される緩衝部材１０の緩衝本体２６の外端面に形成された挿入孔４１、および外装部材１１の外端面に形成された挿入孔３２を通して操作頭部１８の外端部に螺合することにより、外装部材１１を緩衝本体２６に押し付けて操作頭部１８に対して固定する取付片４０とを備えているので、簡単にかつ確実に外装部材１１を緩衝本体２６に押し付けて操作頭部１８に対して固定することができる。
【００６９】
すなわち、このスイッチ装置５では、取付片４０が、雌ねじ部４３を有する小円形部４０ａと、外装部材１１の挿入孔３２の縁部を押える大円形部４０ｂとを備えているので、操作頭部１８に緩衝本体２６を装着させ、この緩衝本体２６に外装部材１１を装着させ、この状態で取付片４０の小円形部４０ａを外装部材１１の挿入孔３２から緩衝本体２６の挿入孔４１に挿入させて、小円形部４０ａの雌ねじ部４３を操作頭部１８の突起部２２の雄ねじ部４２に螺合させると、大円形部４０ｂの外周部が外装部材１１の挿入孔３２の縁部を押え付けることができるので、取付作業および分解作業が簡単にかつ容易にできる。
【００７０】
（第４実施形態）
次に、図１３〜図１５を参照して、この発明のスイッチ装置を腕時計に適用した第４実施形態について説明する。この場合にも、図１〜図５に示された第１実施形態と同一部分に同一符号を付して説明する。
この腕時計のスイッチ装置５は、図１４に示すように、操作頭部１８に外装部材１１を取り付けるための取付部４６を設けた構成であり、これ以外は第１実施形態とほぼ同じ構成になっている。
【００７１】
すなわち、取付部４６は、図１４および図１５に示すように、操作頭部１８の外端部側（図１４では右端部側）に位置する外周面に形成された雄ねじ部４６ａと、操作頭部１８の外端面に形成された凹凸部４６ｂとを有している。緩衝部材１０の緩衝本体２６には、操作頭部１８の取付部４６が挿入する挿入孔４７が設けられている。また、外装部材１１の外端部（図１４では右端部）には、操作頭部１８の取付部４６が挿入する挿入孔４８が設けられている。
【００７２】
この挿入孔４８の内周面には、図１４および図１５に示すように、取付部４６の雄ねじ部４６ａが螺合する雌ねじ部４８ａが設けられている。これにより、操作頭部１８の取付部４６は、緩衝部材１０の挿入孔４７を通して外装部材１１の挿入孔４８に挿入する際に、取付部４６の雄ねじ部４６ａが外装部材１１の雌ねじ部４８ａに螺合するように構成されている。
【００７３】
すなわち、操作頭部１８の取付部４６は、図１４および図１５に示すように、操作頭部１８に緩衝本体２６を装着させると、雄ねじ部４６ａが緩衝本体２６の挿入孔４７に挿入して突出し、この緩衝本体２６に外装部材１１を装着させると、雄ねじ部４６ａが外装部材１１の挿入孔４８に対応し、この状態で外装部材１１を回転させると、雄ねじ部４６ａが挿入孔４８の雌ねじ部４８ａに螺合し、外装部材１１が緩衝本体２６を押し付けた状態で、外装部材１１を操作頭部１８に取り付けるように構成されている。
【００７４】
このような腕時計のスイッチ装置５においても、第１実施形態と同様の作用効果があるほか、操作部材８の操作頭部１８が、緩衝部材１０の外端面に設けられた挿入孔４７を通して外装部材１１に螺合する取付部４６を有していることにより、第３実施形態よりも部品点数を削減することができるほか、第３実施形態よりも簡単にかつ確実に外装部材１１を緩衝部材１０に押し付けて操作頭部１８に対して固定することができる。
【００７５】
すなわち、このスイッチ装置５では、操作頭部１８に緩衝本体２６を装着させると、取付部４６の雄ねじ部４６ａが緩衝本体２６の挿入孔４７に挿入して突出し、この緩衝本体２６に外装部材１１を装着させると、取付部４６の雄ねじ部４６ａが外装部材１１の挿入孔４８に対応し、この状態で外装部材１１を回転させると、雄ねじ部４６ａが挿入孔４８の雌ねじ部４８ａに螺合するので、取付部４６によって外装部材１１が緩衝本体２６を押し付けた状態で、外装部材１１を操作頭部１８に取り付けることができ、これにより取付作業および分解作業が簡単にかつ容易にできる。
【００７６】
なお、上述した第１〜第４の各実施形態では、ロック部９が筒状部材７に設けられた雄ねじ部１４と操作頭部１８に設けられた雌ねじ部１９とで構成されている場合について述べたが、これに限らず、例えば先行文献に記載されているように、操作頭部に取り付けられた複数の係合凸部を有するリング部材と、腕時計ケースの外部に突出した筒状部材の外周部に設けられてリング部材の係合凸部を係脱可能にロックする複数の係止溝部とを備えた簡易型のロック部であっても良い。
【００７７】
また、上述した第１〜第４の各実施形態では、腕時計に適用した場合について述べたが、必ずしも腕時計である必要はなく、例えばトラベルウオッチ、目覚まし時計、置き時計、掛け時計などの各種の時計に適用することができる。
【００７８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７９】
（付記）
請求項１に記載の発明は、貫通孔を有するケースと、このケースの前記貫通孔に取り付けられた筒状部材と、この筒状部材に挿入される軸部および外端部の操作部を有する操作部材と、この操作部材の前記操作部にこれを覆って装着された緩衝部材と、この緩衝部材を覆って前記操作部に対して固定され、かつ前記緩衝部材の複数個所が外部に突出する外装部材と、を備えていることを特徴とするスイッチ装置である。
【００８０】
請求項２に記載の発明は、請求項１に記載のスイッチ装置において、前記外装部材には、その外周面から外端面に亘って複数のスリット溝が円周方向に沿って所定間隔で設けられており、前記緩衝部材には、前記外装部材の前記複数のスリット溝内にそれぞれ挿入されて外部に突出する複数の外周弾性突起部が設けられていることを特徴とするスイッチ装置である。
【００８１】
請求項３に記載の発明は、請求項１または請求項２に記載のスイッチ装置において、前記外装部材の外端面には挿入孔が設けられており、前記緩衝部材には前記外装部材の前記挿入孔から外部に突出する先端弾性突起部が設けられていることを特徴とするスイッチ装置である。
【００８２】
請求項４に記載の発明は、請求項１〜請求項３のいずれかに記載のスイッチ装置において、前記操作部材を前記ケースに向けて押し込んだ状態でロックするロック部を備えていることを特徴とするスイッチ装置である。
【００８３】
請求項５に記載の発明は、請求項１〜請求項４のいずれかに記載のスイッチ装置において、前記緩衝部材には、前記操作部材が前記ロック部によってロックされた状態で、前記ケースの外面に弾接する弾性ストッパ部が設けられていることを特徴とするスイッチ装置である。
【００８４】
請求項６に記載の発明は、請求項５に記載のスイッチ装置において、前記緩衝部材と前記操作部との間には、前記操作部材の軸方向に隙間が設けられていることを特徴とするスイッチ装置である。
【００８５】
請求項７に記載の発明は、請求項１に記載のスイッチ装置において、前記緩衝部材の外端面に形成された挿入孔、および前記外装部材の外端面に形成された挿入孔を通して、前記操作部の外端部に螺合することにより、前記外装部材を前記筒状緩衝部に押し付けて前記操作部に対して固定する取付片を備えていることを特徴とするスイッチ装置である。
【００８６】
請求項８に記載の発明は、請求項１に記載のスイッチ装置において、前記操作部材の前記操作部は、前記緩衝部材の外端面に設けられた挿入孔を通して前記外装部材に螺合する取付部を備えていることを特徴とするスイッチ装置である。
【符号の説明】
【００８７】
１  腕時計ケース
４  時計モジュール
５  スイッチ装置
６  巻真
７  筒状部材
８  操作部材
９  ロック部
１０  緩衝部材
１１  外装部材
１２  貫通孔
１４  ロック部の雄ねじ部
１７  操作軸部
１８  操作頭部
１９  ロック部の雌ねじ部
２６  緩衝本体
２７  先端弾性突起部
２７ａ  凹凸部
２８  外周弾性突起部
３１  スリット溝
３２  外装部材の挿入孔
３５  弾性ストッパ部
４０  取付片
４１  緩衝本体の挿入孔
４２  操作頭部の雄ねじ部
４３  取付片の雌ねじ部
４６  取付部
４６ａ  取付部の雄ねじ部
４７  緩衝部材の挿入孔
４８  外装部材の挿入孔
４８ａ  外装部材の雌ねじ部
【図１】
2014059276.tif 000003
【図２】
2014059276.tif 000004
【図３】
2014059276.tif 000005
【図４】
2014059276.tif 000006
【図５】
2014059276.tif 000007
【図６】
2014059276.tif 000008
【図７】
2014059276.tif 000009
【図８】
2014059276.tif 000010
【図９】
2014059276.tif 000011
【図１０】
2014059276.tif 000012
【図１１】
2014059276.tif 000013
【図１２】
2014059276.tif 000014
【図１３】
2014059276.tif 000015
【図１４】
2014059276.tif 000016
【図１５】
2014059276.tif 000017